(57)【要約】【課題】状況を見て適当な長さを有する伝送ケーブルを交換することができるケーブル交換可能なマウスを提供する。【解決手段】係止空間が設けられ、係止空間が少なくとも一つの開口を有し、係止空間の近傍に本体連結ポートが設けられるマウス本体と、伝送ケーブルと、伝送ケーブルの第１連結端に設けられ、これにより、マウス本体の係止空間に第１連結端を係止可能である係止構造と、を含むケーブル交換可能なマウスにおいて、伝送ケーブルは、本体連結ポートと連結するための第１連結ポートを有する第１連結端と、コンピュータと接続するための第２連結ポートを有する第２連結端と、を含む。【選択図】図１
2011253317.tif 000002
【特許請求の範囲】
【請求項１】
係止空間が設けられ、前記係止空間が少なくとも一つの開口を有し、前記係止空間の近傍に本体連結ポートが設けられるマウス本体と、
前記本体連結ポートと連結するための第１連結ポートを有する前記第１連結端、およびコンピュータと接続するための第２連結ポートを有する第２連結端を含む伝送ケーブルと、
前記伝送ケーブルの第１連結端に設けられ、これにより、前記マウス本体の前記係止空間に前記第１連結端を係止可能である係止構造と
を備えることを特徴とするケーブル交換可能なマウス。
【請求項２】
前記マウス本体の前記開口には、更に、ストッパーが設けられ、前記ストッパーにより、前記マウス本体から前記伝送ケーブルを取外したとき、前記係止空間の前記開口がブロックされることを特徴とする、請求項１に記載のケーブル交換可能なマウス。
【請求項３】
前記第１連結端の内部に収容空間が設けられ、前記第１連結ポートから遠ざかった一側に第１貫通孔が設けられ、前記第１連結ポートと前記第１貫通孔から遠ざかった箇所で第２貫通孔が設けられ、
前記係止構造は、係りピンと、押えロッドと、二つのバネと、を含み、
前記係りピンは、前記第１貫通孔に挿入される係合端部、および斜面を有する凸縁である第１傾斜端部を有し、前記収容空間に配され、
前記押えロッドは、一端に前記第１傾斜端部に対応する第２傾斜端部が設けられ、中段に、前記第２貫通孔を挿通する押え端部が設けられて前記収容空間に配され、
前記二つのバネの一方が前記係りピンに嵌め設けられ、他方が前記第２傾斜端部の一側に嵌め設けられることを特徴とする、請求項１または２に記載のケーブル交換可能なマウス。
【請求項４】
前記係止構造は、連接部と、後退止め部と、押圧部と、を含み、
前記連接部が前記第１連結端に連結され、
前記後退止め部は、前記連接部の一側から前記第２連結端の方向、かつ外側に延び、
前記押圧部は、前記後退止め部の後側から前記後退止め部の延びる方向と異なる方向,かつ外側に延び、
前記マウス本体の前記係止空間に前記第１連結端を係止するときには、前記後退止め部が前記係止空間の内壁に寄り、前記押圧部が前記マウス本体の外部に露呈することを特徴とする、請求項１に記載のケーブル交換可能なマウス。
【請求項５】
前記第１連結端の内部に収容空間が設けられ、
前記第１連結ポートから遠ざかった一側に第１貫通孔が設けられ、
前記係止構造は、係りピンと、バネと、を有し、
前記係りピンは、前記バネが嵌め設けられ、係合端部が前記第１貫通孔に挿入されて前記収容空間に収容され、
前記マウス本体の前記収容空間に近接する底板に係合用貫通孔が設けられ、前記マウス本体の前記係止空間に前記第１連結端を係止するときには、前記係合端部が前記係合用貫通孔に挿入されることを特徴とする、請求項１に記載のケーブル交換可能なマウス。
【発明の詳細な説明】
【技術分野】
【０００１】
本発明は、マウスに関し、特に、ケーブル交換可能なマウスに関するものである。
【背景技術】
【０００２】
コンピュータの今までの発展により、ユーザの操作習慣が定着化される。一般に、ユーザのよく利用する入力装置は、マウス及びキーボードである。従来のマウスは、伝送ケーブルを介してコンピュータと接続し、ユーザがマウスを操作することによりコンピュータを制御する。しかし、コンピュータの周辺装置は、一本以上のケーブルを有することが多いため、これらのケーブルの整理が大変であり、コンピュータの設置する位置が不適当である場合には、伝送ケーブルが長すぎ、又は短すぎることがあり、そして伝送ケーブルが外力に無理に引かれると、マウスなどは接触不良になることがある。
【０００３】
科学技術の発展により、無線マウスが開発された。このような無線マウスによれば、伝送ケーブルを減少することができるが、無線マウスの内部に電源を設けることが必要であり、且つ無線伝送の電力消費が多いため、頻繁に充電し、又は電池を交換することが必要である。また、ＰＣゲームや製図などの高分解能を必要する用途には、無線マウスは今まで十分に対応することができない。
【発明の概要】
【発明が解決しようとする課題】
【０００４】
本発明の主な目的は、状況を見て適当な長さを有する伝送ケーブルを交換することができるケーブル交換可能なマウスを提供することにある。
【課題を解決するための手段】
【０００５】
本発明のケーブル交換可能なマウスによると、係止空間が設けられ、前記係止空間が少なくとも一つの開口を有し、前記係止空間の近傍に本体連結ポートが設けられるマウス本体と、
伝送ケーブルと、
前記伝送ケーブルの第１連結端に設けられ、これにより、前記マウス本体の前記係止空間に前記第１連結端を係止可能である係止構造と、を含むケーブル交換可能なマウスにおいて、
前記伝送ケーブルは、
前記本体連結ポートと連結するための第１連結ポートを有する前記第１連結端と、
コンピュータと接続するための第２連結ポートを有する第２連結端と、
を含むことを特徴とする。
【０００６】
本発明のケーブル交換可能なマウスによると、前記マウス本体の前記開口には、更に、ストッパーが設けられ、前記ストッパーにより、前記マウス本体から前記伝送ケーブルを取外したと、前記係止空間の前記開口がブロックされることを特徴とする。
【０００７】
本発明のケーブル交換可能なマウスによると、前記第１連結端の内部に収容空間が設けられ、前記第１連結ポートから遠ざかった一側に第１貫通孔が設けられ、前記第１連結ポートと前記第１貫通孔から遠ざかった箇所で第２貫通孔が設けられ、
前記係止構造は、係りピンと、押えロッドと、二つのバネと、を含み、前記係りピンの係合端部が前記第１貫通孔に挿入され、前記係りピンの第１傾斜端部は斜面を有する凸縁であり、前記係りピンが前記収容空間に配され、二つの前記バネのうちの一つが前記係りピンに嵌め設けられ、前記押えロッドの一側には、前記第１傾斜端部に対応する第２傾斜端部が設けられ、前記押えロッドの中段には、前記第２貫通孔を挿通する押え端部が設けられ、前記押えロッドが前記収容空間に配され、二つの前記バネのうちの残りが前記第２傾斜端部の一側に嵌め設けられることを特徴とする。
【０００８】
本発明のケーブル交換可能なマウスによると、前記係止構造は、連接部と、後退止め部と、押圧部と、を含み、前記連接部が前記第１連結部に連結され、前記後退止め部は、前記連接部の一側から前記第２連結端の方向へ延び、外部に延び、前記押圧部は、前記後退止め部の後側から前記第２連結端の方向へ延び、外部に延び、前記マウス本体の前記係止空間に前記第１連結端を係止するときには、前記後退止め部が前記係止空間の内壁に寄り、前記押圧部が前記マウス本体の外部に露呈することを特徴とする。
【０００９】
本発明のケーブル交換可能なマウスによると、前記第１連結端の内部に収容空間が設けられ、前記第１連結ポートから遠ざかった一側に第１貫通孔が設けられ、前記係止構造は、係りピンと、バネと、を有し、前記係りピンの係合端部が前記第１貫通孔に挿入され、前記係りピンが前記収容空間に収容され、前記係りピンに前記バネが嵌め設けられ、前記マウス本体の前記収容空間に近接する底板に係合用貫通孔が設けられ、前記マウス本体の前記係止空間に前記第１連結端を係止するときには、前記係合端部が前記係合用貫通孔に挿入されることを特徴とする。
【発明の効果】
【００１０】
本発明のケーブル交換可能なマウスによれば、状況を見て適当な長さを有する伝送ケーブルを交換することができるという効果を有する。
【図面の簡単な説明】
【００１１】
【図１】本発明の第１実施例のマウスの模式図である。
【図２】本発明の第１実施例に係る係止構造の平面図である。
【図３】本発明の第１実施例に係る伝送ケーブルがマウス本体に結合された状態の模式図である。
【図４】本発明の第２実施例に係る伝送ケーブルがマウス本体から離脱された状態の模式図である。
【図５】本発明の第２実施例に係る伝送ケーブルがマウス本体に結合された状態の模式図である。
【図６】本発明の第３実施例に係る伝送ケーブルがマウス本体に結合された状態の模式図である。
【図７】本発明の第３実施例に係る係止構造の拡大模式図である。
【発明を実施するための最良の形態】
【００１２】
以下、本発明の実施の形態を図面に基づいて説明する。
（第１実施例）
まず、図１から図３を参照する。図１は本発明の第１実施例のマウスの模式図であり、図２は本発明の第１実施例に係る係止構造の平面図であり、図３は本発明の第１実施例に係る伝送ケーブルがマウス本体に結合された状態の模式図である。
【００１３】
ケーブル交換可能なマウス１０００は、マウス本体１００と、伝送ケーブル２００と、係止構造３００と、を含む。前記マウス本体１００に係止空間１１が設けられ、前記係止空間１１が少なくとも一つの開口１１１を有し、前記係止空間１１の近傍に本体連結ポート１２が設けられる。
【００１４】
前記伝送ケーブル２００は、前記本体連結ポート１２と連結するための第１連結ポート２１１を有する第１連結端２１と、コンピュータ（図示せず）と接続するための第２連結ポート２２１を有する第２連結端２２と、を含む。
【００１５】
前記係止構造３００は、前記伝送ケーブル２００の前記第１連接端２１に設けられ、これにより、前記マウス本体１００の前記係止空間１１に前記第１連結端２１を係止可能である。本実施例では、前記マウス本体１００の前記開口１１１には、更に、ストッパー１３が設けられることが好ましい。前記ストッパー１３により、前記マウス本体１００から前記伝送ケーブル２００を取外したと、前記係止空間１１の前記開口１１１がブロックされる。且つ前記マウス本体１００の前記係止空間１１に前記伝送ケーブルを挿入したときには、前記ストッパー１３が前記係止空間１１又は前記マウス本体１００に収容される。
【００１６】
前記係止構造３００の係止方式は、何れかの方式を採用してもよく、本発明の実施例に限定されない。本実施例では、前記第１連結端２１の内部に収容空間Ｈ１が設けられ、前記第１連結ポート２１１から遠ざかった一側に第１貫通孔２１２が設けられ、前記第１連結ポート２１１と前記第１貫通孔２１２から遠ざかった箇所で第２貫通孔２１３が設けられる。前記係止構造３００は、係りピン３１と、押えロッド３２と、バネ３３、３４と、を含む。前記係りピン３１の係合端部３１１が前記第１貫通孔２１２に挿入され、前記係りピン３１の第１傾斜端部３１２は斜面を有する凸縁であり、前記係りピン３１が前記収容空間Ｈ１に配され、前記バネ３３が前記係りピン３１に嵌め設けられる。前記押えロッド３２の一側には、前記第１傾斜端部３１２に対応する第２傾斜端部３２１が設けられ、前記押えロッド３２の中段には、前記第２貫通孔２１３を挿通する押え端部３２２が設けられ、前記押えロッド３２が前記収容空間Ｈ１に配され、前記バネ３４が前記第２傾斜端部３２１の一側に嵌め設けられる。
【００１７】
前記係止構造３００により、前記押え端部３２２が引かれると、前記係合端部が前記収容空間Ｈ１へ後退する。そうすると、前記伝送ケーブル２００を取外し、又は取付けることができる。
【００１８】
（第２実施例）
図４及び図５を参照する。図４は本発明の第２実施例に係る伝送ケーブルがマウス本体から離脱された状態の模式図であり、図５は本発明の第２実施例に係る伝送ケーブルがマウス本体に結合された状態の模式図である。本実施例のマウス１０００ａにおいて、係止構造３００ａは、連接部３５と、後退止め部３６と、押圧部３７と、を含む。前記連接部３５が前記第１連結部２１に連結される。前記後退止め部３６は、前記連接部３５の一側から前記第２連結端２２の方向へ延び、外部に延びる。前記押圧部３７は、前記後退止め部３６の後側から前記第２連結端２２の方向へ延び、外部に延びる。前記マウス本体１００の前記係止空間１１に前記第１連結端２１を係止するときには、前記後退止め部３６が前記係止空間１１の内壁に寄り、前記押圧部３７が前記マウス本体１００の外部に露呈する。前記伝送ケーブル２００を取外したいときには、前記押圧部３７を押圧して、前記後退止め部３６を前記係止空間１１の内壁から離脱し、これにより、前記マウス本体１００から前記伝送ケーブル２００を容易に取外すことができる。
【００１９】
（第３実施例）
図６及び図７を参照する。図６は本発明の第３実施例に係る伝送ケーブルがマウス本体に結合された状態の模式図であり、図７は本発明の第３実施例に係る係止構造の拡大模式図である。本実施例のマウス１０００ｂにおいて、第１連結端２１の内部に収容空間Ｈ２が設けられ、第１連結ポート２１１と垂直する箇所で第１貫通孔２１２が設けられる。係止構造３００ｂは、係りピン３１と、バネ３３と、を有し、前記係りピン３１の係合端部３１１が前記第１貫通孔２１２に挿入され、前記係りピン３１が前記収容空間Ｈ２に収容され、前記係りピン３１に前記バネ３３が嵌め設けられる。前記マウス本体１００の前記収容空間Ｈ２に近接する底板に係合用貫通孔１４が設けられ、前記マウス本体１００の前記係止空間１１に前記第１連結端２１を係止するときには、前記係合端部３１１が前記係合用貫通孔１４に挿入される。前記伝送ケーブル２００を取外したいときには、指または別の品物で前記係合端部３１１を押圧して前記係りピン３１を後退すると、前記マウス本体１００から前記伝送ケーブル２００を容易に取外すことができる。
【００２０】
上記の説明から明らかなように、マウス１０００、１０００ａ、１０００ｂは、伝送ケーブル２００に係止構造３００、３００ａ、３００ｂをそれぞれ設けることにより、状況を見て適当な長さを有する伝送ケーブル２００を交換することができため、従来の伝送ケーブル付きマウスの高分解能を得ることができ、コンピュータの設置する位置に合せて適当な長さを有する伝送ケーブル２００を使用することができ、そして伝送ケーブル２００が損壊した場合には、伝送ケーブル２００を交換するだけで、マウスを正常の機能に回復することができる。
【００２１】
このように、本発明が、特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００２２】
１１：係止空間、１２：本体連結ポート、１３：ストッパー、１４：係合用貫通孔、２１：第１連結端、２２：第２連結端、３１：係りピン、３２：押えロッド、３３,３４：バネ、３５：連接部、３６：後退止め部、３７：押圧部、１００：マウス本体、１１１：開口、２００：伝送ケーブル、２１１：第１連結ポート、２１２：第１貫通孔、２１３：第２貫通孔、２２１：第２連結ポート、３００，３００ａ，３００ｂ：係止構造、３１１：係合端部、３１２：第１傾斜端部、３２１：第２傾斜端部、３２２：押え端部、１０００,１０００ａ,１０００ｂ：マウス、Ｈ１,Ｈ２：収容空間。
【産業上の利用可能性】
【００２３】
本発明は、マウスに適用することができる。
【図１】
2011253317.tif 000003
【図２】
2011253317.tif 000004
【図３】
2011253317.tif 000005
【図４】
2011253317.tif 000006
【図５】
2011253317.tif 000007
【図６】
2011253317.tif 000008
【図７】
2011253317.tif 000009